(57)【要約】【課題】本発明は、使用者がビーズクッションから起き上がるのを補助する起き上がり補助具および起き上がり補助具を備える椅子を提供することを目的とする。【解決手段】本発明の起き上がり補助具３は、使用者がビーズクッション２から起き上がる際に把持する持ち手３１ａを有する第１側部３１と、第１側部３１に対して所定の距離で離間して対向して配置され、使用者がビーズクッション２から起き上がる際に把持する持ち手３２ａを有する第２側部３２と、第１側部３１と第２側部３２との間に設けられ、ビーズクッション２が載置される載置部３３とを備えることを特徴とする。また、本発明の椅子１は、ビーズクッション２と、前記起き上がり補助具３とを備えることを特徴とする。【選択図】図１
2020168207.tif 000002
【特許請求の範囲】
【請求項１】
使用者がビーズクッションから起き上がるのを補助する起き上がり補助具であって、
前記起き上がり補助具が、
前記使用者が前記ビーズクッションから起き上がる際に把持する持ち手を有する第１側部と、
前記第１側部に対して所定の距離で離間して対向して配置され、前記使用者が前記ビーズクッションから起き上がる際に把持する持ち手を有する第２側部と、
前記第１側部と前記第２側部との間に設けられ、前記ビーズクッションが載置される載置部とを備える、
起き上がり補助具。
【請求項２】
前記起き上がり補助具がさらに、前記第１側部および前記第２側部の後方において、前記第１側部と前記第２側部とを水平方向で連結する後方連結部を備える、請求項１記載の起き上がり補助具。
【請求項３】
前記起き上がり補助具がさらに、前記第１側部および前記第２側部の上方において、前記第１側部と前記第２側部とを連結し、前記使用者が前記ビーズクッションから起き上がる際に把持する持ち手を有する上方連結部を備える、請求項１または２記載の起き上がり補助具。
【請求項４】
前記ビーズクッションが前記載置部に載置されたときに、前記第１側部、前記第２側部および前記後方連結部によって、前記ビーズクッションの両側方と後方とが支持されるように構成される請求項２、または、請求項２に従属する請求項３記載の起き上がり補助具。
【請求項５】
前記第１側部、前記第２側部および前記後方連結部は、前記載置部に載置された前記ビーズクッションに前記使用者の体重が加わった際に、前記ビーズクッションの一部が入り込み、前記第１側部、前記第２側部および前記後方連結部の外側にはみ出ることにより、前記ビーズクッションの変形を許容する開口部を備える、請求項２、ならびに、請求項２に従属する請求項３および４のいずれか１項に記載の起き上がり補助具。
【請求項６】
前記第１側部、前記第２側部および前記後方連結部が、棒状部材により形成される、
請求項２、ならびに、請求項２に従属する請求項３〜５のいずれか１項に記載の起き上がり補助具。
【請求項７】
ビーズクッションと、請求項１〜６のいずれか１項に記載の起き上がり補助具とを備える椅子。
【請求項８】
前記ビーズクッションが、前記使用者が着座する座部と、前記使用者が背中を凭れかける背凭れ部と、前記使用者が頭部を凭れかける枕部とを備える、請求項７記載の椅子。
【発明の詳細な説明】
【技術分野】
【０００１】
本発明は、起き上がり補助具および起き上がり補助具を備える椅子に関する。
【背景技術】
【０００２】
従来、使用者が、着座したり、仰臥したりして、ゆったりとくつろぐために、たとえば特許文献１に開示されるようなビーズクッションが用いられている。ビーズクッションは、使用者の体形にフィットするように柔軟に変形するために、使用者が快適に使用することができる。
【先行技術文献】
【特許文献】
【０００３】
【特許文献１】特開２００３−２４５１６７号公報
【発明の概要】
【発明が解決しようとする課題】
【０００４】
ところが、使用者がビーズクッションの使用を終えてビーズクッションから起き上がろうとすると、使用者の動きに合わせてビーズクッションが変形するために、ビーズクッションから起き上がることが非常に難しい。使用者は、ビーズクッションから起き上がる場合には、ビーズクッションから這うようにして床面に降りてからでないと、起き上がることができない。
【０００５】
本発明は、上記問題に鑑みなされたもので、使用者がビーズクッションから起き上がるのを補助する起き上がり補助具および起き上がり補助具を備える椅子を提供することを目的とする。
【課題を解決するための手段】
【０００６】
本発明の起き上がり補助具は、使用者がビーズクッションから起き上がるのを補助する起き上がり補助具であって、前記起き上がり補助具が、前記使用者が前記ビーズクッションから起き上がる際に把持する持ち手を有する第１側部と、前記第１側部に対して所定の距離で離間して対向して配置され、前記使用者が前記ビーズクッションから起き上がる際に把持する持ち手を有する第２側部と、前記第１側部と前記第２側部との間に設けられ、前記ビーズクッションが載置される載置部とを備えることを特徴とする。
【０００７】
また、前記起き上がり補助具がさらに、前記第１側部および前記第２側部の後方において、前記第１側部と前記第２側部とを水平方向で連結する後方連結部を備えることが好ましい。
【０００８】
また、前記起き上がり補助具がさらに、前記第１側部および前記第２側部の上方において、前記第１側部と前記第２側部とを連結し、前記使用者が前記ビーズクッションから起き上がる際に把持する持ち手を有する上方連結部を備えることが好ましい。
【０００９】
また、前記ビーズクッションが前記載置部に載置されたときに、前記第１側部、前記第２側部および前記後方連結部によって、前記ビーズクッションの両側方と後方とが支持されるように構成されることが好ましい。
【００１０】
また、前記第１側部、前記第２側部および前記後方連結部は、前記載置部に載置された前記ビーズクッションに前記使用者の体重が加わった際に、前記ビーズクッションの一部が入り込み、前記第１側部、前記第２側部および前記後方連結部の外側にはみ出ることにより、前記ビーズクッションの変形を許容する開口部を備えることが好ましい。
【００１１】
また、前記第１側部、前記第２側部および前記後方連結部が、棒状部材により形成されることが好ましい。
【００１２】
本発明の椅子は、ビーズクッションと、前記起き上がり補助具とを備えることを特徴とする。
【００１３】
前記ビーズクッションが、前記使用者が着座する座部と、前記使用者が背中を凭れかける背凭れ部と、前記使用者が頭部を凭れかける枕部とを備えることが好ましい。
【発明の効果】
【００１４】
本発明によれば、使用者がビーズクッションから起き上がるのを補助する起き上がり補助具および起き上がり補助具を備える椅子を提供することができる。
【図面の簡単な説明】
【００１５】
【図１】本発明の一実施形態に係る起き上がり補助具および起き上がり補助具を備える椅子の斜視図である。
【図２】本発明の一実施形態に係る椅子に使用者が乗った状態を示す側面図である。
【図３】本発明の一実施形態に係る椅子に使用者が乗った状態を示す後面図である。
【図４】本発明の一実施形態に係る椅子のビーズクッションから使用者が起き上がろうとする状態を示す側面図である。
【発明を実施するための形態】
【００１６】
以下、添付図面を参照して、本発明の一実施形態に係る起き上がり補助具および起き上がり補助具を備える椅子を説明する。ただし、以下の実施形態は一例であり、本発明の起き上がり補助具および起き上がり補助具を備える椅子は、以下の実施形態に限定されることはない。なお、以下の説明の中において、特に断らない限り、「前」、「後」、「上」、「下」との方向を示す用語は、起き上がり補助具を使用中の使用者から見た方向を示すものである。
【００１７】
本実施形態の起き上がり補助具は、使用者がビーズクッションから起き上がるのを補助するために用いられる。本実施形態の起き上がり補助具は、ビーズクッションとともに椅子として使用することができる。以下では、本実施形態の起き上がり補助具を、ビーズクッションとともに椅子として使用される例を挙げながら説明する。しかし、本発明の起き上がり補助具は、使用者が着座する椅子としての使用に限定されることはなく、たとえばベッドなどのように、使用者が寝転がる目的でビーズクッションを使用したあとに、ビーズクッションから起き上がるのを補助するなど、他の用途にも用いることができる。
【００１８】
本実施形態の椅子１は、図１〜図４に示されるように、ビーズクッション２および起き上がり補助具３を備える。使用者Ｕは、起き上がり補助具３とともにビーズクッション２を使用することで、ビーズクッション２に快適に着座することができるとともに、ビーズクッション２から容易に起き上がることができる。
【００１９】
ビーズクッション２は、概して、たとえば着座し、または仰臥するなどして上に乗った使用者Ｕを支持する。ビーズクッション２は、袋体の内部に多数の発泡ビーズが充填されて構成される。袋体は、たとえば外袋と、外袋の内部に収納される中袋とで構成され、中袋の内部に発泡ビーズが充填される。外袋および内袋は、ポリエステル生地やナイロン生地などの伸縮性を有する公知の生地により構成される。また、発泡ビーズは、たとえば直径が１〜５ｍｍ程度の略球状に加工された発泡スチレンなどの発泡合成樹脂粒状体として構成される。ビーズクッション２は、使用者Ｕが上に乗ると、その体重により中袋内で発泡ビーズが移動することにより、使用者Ｕの体形にフィットするように変形して、使用者Ｕを支持する。
【００２０】
ビーズクッション２は、上に乗った使用者Ｕを支持することができればよく、その形状は特に限定されることはない。本実施形態では、ビーズクッション２は、図１に示されるように、使用者Ｕが着座する座部２１と、使用者Ｕが背中を凭れかける背凭れ部２２と、使用者Ｕが頭部を凭れかける枕部２３とを備える。ビーズクッション２は、少なくとも座部２１および背凭れ部２２を備えることで、単独でも椅子として使用可能である。ビーズクッション２は、座部２１の後方側の端部から背凭れ部２２が上方に立設し、座部２１および背凭れ部２２が一体として、側面視で略Ｌ字状に形成される。ビーズクッション２は、袋体の有するわずかな剛性によりその形状が維持される一方で、使用者Ｕの体重により容易に変形するように構成される。枕部２３は、背凭れ部２２の上方の前方側に、面ファスナなどの公知の取り付け手段により、着脱可能に取り付けられる。
【００２１】
起き上がり補助具３は、図１に示されるように、使用者Ｕがビーズクッション２から起き上がる際に把持する持ち手３１ａを有する第１側部３１と、第１側部３１に対して所定の距離で離間して対向して配置され、使用者Ｕがビーズクッション２から起き上がる際に把持する持ち手３２ａを有する第２側部３２と、第１側部３１と第２側部３２との間に設けられ、ビーズクッション２が載置される載置部３３とを備える。
【００２２】
第１側部３１および第２側部３２は、図４に示されるように、使用者Ｕが持ち手３１ａ、３２ａを把持してビーズクッション２から起き上がる際に、使用者Ｕを支持する。使用者Ｕは、第１側部３１および第２側部３２の持ち手３１ａ、３２ａを把持し、腕の力で第１側部３１および第２側部３２を下方に押圧しながら身体を上方に持ち上げることにより、ビーズクッション２から容易に起き上がることができる。
【００２３】
第１側部３１および第２側部３２は、使用者Ｕがビーズクッション２から起き上がる際に使用者Ｕを支持することができればよく、その構成は特に限定されることはない。本実施形態では、第１側部３１および第２側部３２は、図１および図３に示されるように、載置部３３に載置されるビーズクッション２の両側方において、載置部３３から上方に延びるように配置される。第１側部３１と第２側部３２との間の距離は、第１側部３１と第２側部３２との間にビーズクッション２および使用者Ｕが入り得る範囲で適宜設定される。本実施形態では、第１側部３１および第２側部３２は、ビーズクッション２が載置部３３に載置されたときに、ビーズクッション２の両側方に接触するように配置され、起き上がり補助具３は、第１側部３１および第２側部３２によって、ビーズクッション２の両側方が支持されるように構成される。これにより、ビーズクッション２は、起き上がり補助具３の両側方への移動が抑制され、起き上がり補助具３に対する位置が安定して維持される。第１側部３１および第２側部３２は、それぞれの下端側において載置部３３により互いに連結され、載置部３３の両側方の端部のそれぞれから上方に立設している。第１側部３１および第２側部３２は、載置部３３により互いに連結されることで、使用者Ｕがビーズクッション２から起き上がる際に、互いに対する相対移動が抑制されるので、使用者Ｕをより安定して支持することができる。
【００２４】
第１側部３１および第２側部３２は、本実施形態では、図１および図３に示されるように、載置部３３に載置されたビーズクッション２に使用者Ｕの体重が加わった際に、ビーズクッション２の一部２ａが入り込み、第１側部３１および第２側部３２の外側にはみ出ることにより、ビーズクッション２の変形を許容する側方開口部３１ｂ、３２ｂを備える。これにより、ビーズクッション２が使用者Ｕの体形にフィットするように変形しやすくなり、使用者Ｕは、ビーズクッション２に、より快適に乗ることができる。第１側部３１および第２側部３２は、本実施形態では、格子状に形成され、複数の側方開口部３１ｂ、３２ｂを備える。これにより、第１側部３１および第２側部３２は、ビーズクッション２の支持および変形許容の両方をバランスよく実現する。側方開口部３１ｂ、３２ｂの大きさは、ビーズクッション２の一部２ａが第１側部３１および第２側部３２の外側にはみ出るような大きさであれば、特に限定されることはないが、たとえば５０ｃｍ2以上であることが好ましい。また、第１側部３１および第２側部３２がビーズクッション２の側方を支持するという観点から、側方開口部３１ｂ、３２ｂの大きさは、たとえば５００ｃｍ2以下であることが好ましい。
【００２５】
第１側部３１および第２側部３２は、本実施形態では、図１および図２に示されるように、棒状部材３１ｃ、３１ｄ、３２ｃ、３２ｄにより形成される。第１側部３１は、床面Ｆに対して略平行に延びる第１棒状部材３１ｃと、第１棒状部材３１ｃに対して交差（図示された例では略直交）して延びる第２棒状部材３１ｄとを備え、第２側部３２は、床面Ｆに対して略平行に延びる第３棒状部材３２ｃと、第３棒状部材３２ｃに対して交差（図示された例では略直交）して延びる第４棒状部材３２ｄとを備える。第１側部３１は、複数の第１棒状部材３１ｃおよび第２棒状部材３１ｄにより格子状に形成され、複数の第１棒状部材３１ｃおよび第２棒状部材３１ｄの間に側方開口部３１ｂが形成される。また、第２側部３２は、複数の第３棒状部材３２ｃおよび第４棒状部材３２ｄにより格子状に形成され、複数の第３棒状部材３２ｃおよび第４棒状部材３２ｄの間に側方開口部３２ｂが形成される。第１〜第４棒状部材３１ｃ、３１ｄ、３２ｃ、３２ｄは、本実施形態では、ビーズクッション２が接触して摺動する際に、ビーズクッション２の損傷が抑制されるように、略円柱状に形成される。第１〜第４棒状部材３１ｃ、３１ｄ、３２ｃ、３２ｄは、使用者Ｕがビーズクッション２から起き上がる際に使用者Ｕを支持する強度を有していれば、特に限定されることはなく、籐（ラタン）やアルミニウムにより形成することができる。なお、第１側部および第２側部は、板状部材など他の形状の部材により形成されてもよく、たとえば板状部材により形成される場合には、板状部材を貫通する側方開口部が形成されてもよい。
【００２６】
第１側部３１および第２側部３２は、使用者Ｕがビーズクッション２から起き上がる際に使用者Ｕを支持することができればよく、その大きさもまた特に限定されることはない。たとえば、第１側部３１および第２側部３２は、図４に示されるように、使用者Ｕがビーズクッション２から起き上がる際に、持ち手３１ａ、３２ａを把持して第１側部３１および第２側部３２を下方向に押圧するように腕の力が加えられるような範囲に持ち手３１ａ、３２ａが位置するように適宜設計することができる。たとえば、第１側部３１および第２側部３２の持ち手３１ａ、３２ａの高さは、使用者Ｕがビーズクッション２から起き上がる際に、使用者Ｕの肩部の位置よりも低く、使用者Ｕの膝部と臀部が略同一の高さにある体勢のときに持ち手３１ａ、３２ａを把持した状態の腕が伸びきるような位置よりも高いことが好ましい。
【００２７】
載置部３３は、第１側部３１と第２側部３２との間に配置され、ビーズクッション２が載置される部位である。載置部３３は、ビーズクッション２を下方から支持し、ビーズクッション２の上に乗った使用者Ｕを支持する。載置部３３は、第１側部３１と第２側部３２との間に配置され、ビーズクッション２および使用者Ｕを支持することができればよく、その構成は特に限定されることはない。本実施形態では、載置部３３は、図１に示されるように、第１側部３１と第２側部３２とをそれぞれの下端側で互いに連結し、第１側部３１および第２側部３２を支持するように構成される。起き上がり補助具３は、使用される際、たとえば、図２〜図４に示されるように、載置部３３が床面Ｆに接触するように設置される。
【００２８】
載置部３３は、本実施形態では、図１に示されるように、棒状部材３３ａ、３３ｂにより形成される。載置部３３は、第１側部３１と第２側部３２との間に延びる第５棒状部材３３ａと、第５棒状部材３３ａに対して交差（図示された例では略直交）して延びる第６棒状部材３３ｂとを備える。載置部３３は、複数の第５棒状部材３３ａおよび第６棒状部材３３ｂにより格子状に形成される。第５棒状部材３３ａは、第１側部３１の第２棒状部材３１ｄおよび第２側部３２の第４棒状部材３２ｄと連続して設けられ、第６棒状部材３３ｂは、後述する後方連結部３４の第８棒状部材３４ｃと連続して設けられる。第５および第６棒状部材３３ａ、３３ｂは、本実施形態では、ビーズクッション２が接触して摺動する際に、ビーズクッション２の損傷が抑制されるように、略円柱状に形成される。第５および第６棒状部材３３ａ、３３ｂは、ビーズクッション２および使用者Ｕを支持する強度を有していれば、特に限定されることはなく、籐（ラタン）やアルミニウムにより形成することができる。なお、載置部は、板状部材など他の形状の部材により形成されてもよい。
【００２９】
起き上がり補助具３はさらに、図１に示されるように、第１側部３１および第２側部３２の後方において、第１側部３１と第２側部３２とを水平方向で連結する後方連結部３４を備えていてもよい。第１側部３１および第２側部３２は、後方連結部３４により水平方向で連結されることにより、使用者Ｕがビーズクッション２から起き上がる際に、互いに対する相対移動が抑制されるので、使用者Ｕをより安定して支持することができる。
【００３０】
後方連結部３４は、第１側部３１および第２側部３２の後方において、第１側部３１と第２側部３２とを水平方向で連結することができればよく、その構成は特に限定されることはない。本実施形態では、後方連結部３４は、図２および図４に示されるように、ビーズクッション２が載置部３３に載置されたときに、ビーズクッション２の後方に接触するように配置され、起き上がり補助具３は、後方連結部３４によって、ビーズクッション２の後方が支持されるように構成される。これにより、ビーズクッション２は、起き上がり補助具３の後方への移動が抑制され、起き上がり補助具３に対する位置が安定して維持される。また、使用者Ｕは、図２に示されるように、ビーズクッション２（背凭れ部２２）に背中を凭れかけても、ビーズクッション２（背凭れ部２２）を介して後方連結部３４に支持されるので、姿勢を安定して維持することができる。
【００３１】
後方連結部３４は、本実施形態では、図１に示されるように、第１側部３１と第２側部３２とをそれぞれの後端側で互いに連結するように、第１側部３１および第２側部３２の後端側に連結される。また、後方連結部３４は、載置部３３の後方側の端部から上方に立設するように、載置部３３の後方側の端部に連結される。第１側部３１および第２側部３２は、載置部３３に連結された後方連結部３４により互いに連結されることで、使用者Ｕがビーズクッション２から起き上がる際に、互いに対する相対移動がさらに抑制されるので、使用者Ｕをよりさらに安定して支持することができる。
【００３２】
後方連結部３４は、本実施形態では、図１に示されるように、起き上がり補助具３の後方に向かって凸となるように湾曲している。これによって、使用者Ｕは、ビーズクッション２（背凭れ部２２）に背中を凭れかけた際に、後方連結部３４に沿ってビーズクッション２（背凭れ部２２）が身体の両側から身体を挟み込むように変形するので、ビーズクッション２に、より快適に背中を凭れかけることができる。
【００３３】
後方連結部３４は、本実施形態では、図１および図２に示されるように、載置部３３に載置されたビーズクッション２に使用者Ｕの体重が加わった際に、ビーズクッション２の一部２ａが入り込み、後方連結部３４の外側にはみ出ることにより、ビーズクッション２の変形を許容する後方開口部３４ａを備える。これにより、ビーズクッション２が使用者Ｕの体形にフィットするように変形しやすくなり、使用者Ｕは、ビーズクッション２に、より快適に乗ることができる。後方連結部３４は、本実施形態では、格子状に形成され、複数の後方開口部３４ａを備えている。これにより、後方連結部３４は、ビーズクッション２の支持および変形許容の両方をバランスよく実現する。後方開口部３４ａは、ビーズクッション２の一部２ａが後方連結部３４の外側にはみ出るような大きさであれば、特に限定されることはないが、たとえば５０ｃｍ2以上であることが好ましい。また、後方連結部３４がビーズクッション２の後方を支持するという観点から、後方開口部３４ａの大きさは、たとえば５００ｃｍ2以下であることが好ましい。
【００３４】
後方連結部３４は、本実施形態では、図１および図３に示されるように、棒状部材３４ｂ、３４ｃにより形成される。後方連結部３４は、床面Ｆに対して略平行に延びる第７棒状部材３４ｂと、第７棒状部材３４ｂに対して交差（図示された例では略直交）して延びる第８棒状部材３４ｃとを備える。後方連結部３４は、複数の第７棒状部材３４ｂおよび第８棒状部材３４ｃにより格子状に形成され、複数の第７棒状部材３４ｂおよび第８棒状部材３４ｃの間に後方開口部３４ａが形成される。第７棒状部材３４ｂは、第１側部３１の第１棒状部材３１ｃおよび第２側部３２の第３棒状部材３２ｃと連続して設けられ、第８棒状部材３４ｃは、載置部３３の第７棒状部材３４ｂと連続して設けられる。第７および第８棒状部材３４ｂ、３４ｃは、本実施形態では、ビーズクッション２が接触して摺動する際に、ビーズクッション２の損傷が抑制されるように、略円柱状に形成される。第７および第８棒状部材３４ｂ、３４ｃは、少なくとも使用者Ｕの凭れかかった背中を支持する強度を有していれば、特に限定されることはなく、籐（ラタン）やアルミニウムにより形成することができる。なお、後方連結部は、板状部材など他の形状の部材により形成されてもよく、たとえば板状部材により形成される場合には、板状部材を貫通する後方開口部が形成されてもよい。
【００３５】
後方連結部３４は、第１側部３１および第２側部３２の後方において、第１側部３１と第２側部３２とを水平方向で連結することができればよく、その大きさもまた特に限定されることはない。後方連結部３４は、本実施形態では、図１に示されるように、第１側部３１および第２側部３２と略同一の高さに形成される。ただし、後方連結部は、第１側部３１および第２側部３２と異なる高さに形成されてもよい。
【００３６】
起き上がり補助具３はさらに、図１〜図４に示されるように、第１側部３１および第２側部３２の上方において、第１側部３１と第２側部３２とを連結し、使用者Ｕがビーズクッション２から起き上がる際に把持する持ち手３５ａを有する上方連結部３５を備えていてもよい。上方連結部３５は、使用者Ｕが持ち手３５ａを把持してビーズクッション２から起き上がる際に、使用者Ｕを上方から支持する。使用者Ｕは、上方連結部３５の持ち手３５ａを把持し、腕の力で上方連結部３５を手前に引っぱることで身体を上方に持ち上げることにより、ビーズクッション２から容易に起き上がることができる。
【００３７】
上方連結部３５は、第１側部３１および第２側部３２の上方において、第１側部３１と第２側部３２とを連結することができればよく、その配置は特に限定されることはない。本実施形態では、上方連結部３５は、図２および図４に示されるように、起き上がり補助具３が床面Ｆに設置される際に床面Ｆに接触する載置部３３の前方側の端部よりも後方側に位置付けられる。つまり、載置部３３の前方側の一部が、上方連結部３５よりも前方に突出する。これにより、使用者Ｕがビーズクッション２から起き上がる際に上方連結部３５を引っぱりながら起き上がり補助具３の前方に出ようとしても、上方連結部３５よりも前方に突出する載置部３３の一部により、起き上がり補助具３が前方に傾斜するのが抑制される。したがって、使用者Ｕは、ビーズクッション２から安全な体勢で起き上がることができる。なお、起き上がり補助具３が前方に傾斜するのを抑制するためには、少なくとも床面Ｆに接触している部位が上方連結部３５よりも前方に突出していればよく、本実施形態では載置部３３が床面Ｆに接触しているが、第１側部３１および第２側部３２が床面Ｆに接触している場合や、第１側部３１および第２側部３２ならびに載置部３３が床面Ｆに接触している場合には、これらの接触部位が上方連結部３５よりも前方に突出していればよい。
【００３８】
上方連結部３５は、本実施形態では、図１に示されるように、棒状部材３５ｂにより形成される。上方連結部３５は、第９棒状部材３５ｂを備え、第１側部３１および第２側部３２の上方において、アーチ状に形成される。第９棒状部材３５ｂは、第１側部３１の第２棒状部材３１ｄおよび第２側部３２の第４棒状部材３２ｄと連続して設けられる。第９棒状部材３５ｂは、使用者Ｕが持ち手３５ａを把持してビーズクッション２から起き上がる際に使用者Ｕを上方から支持する強度を有していれば、特に限定されることはなく、籐（ラタン）やアルミニウムにより形成することができる。
【００３９】
上方連結部３５は、第１側部３１および第２側部３２の上方において、第１側部３１と第２側部３２とを連結することができればよく、その大きさもまた特に限定されることはない。本実施形態では、上方連結部３５は、図１に示されるように、第１側部３１、第２側部３２、載置部３３および上方連結部３５が、起き上がり補助具３を前方から見たときに、略環状に配置されて、その内側に開口Ｏを形成し、その開口Ｏが、ビーズクッション２および使用者Ｕが通過可能な大きさになるように設計される。これにより、上方連結部３５が邪魔になることなく、ビーズクッション２を載置部３３上に載置することができ、使用者Ｕがビーズクッション２に乗ることができる。上方連結部３５の持ち手３５ａの高さは、特に限定されることはなく、ビーズクッション２に乗った姿勢の使用者Ｕの頭部よりも高く、使用者Ｕの手が届く範囲で適宜設定される。
【００４０】
起き上がり補助具３はさらに、図１〜図３に示されるように、起き上がり補助具３が転倒するのを抑制する転倒防止具３６、３６を備えていてもよい。転倒防止具３６、３６は、本実施形態では、第１側部３１および第２側部３２に設けられ、第１側部３１および第２側部３２の側方に起き上がり補助具３が転倒するのを抑制する。転倒防止具３６、３６は、第１側部３１および第２側部３２の下方において床面Ｆに接触するように配置され、第１側部３１および第２側部３２を下方から支持するように構成される。転倒防止具３６、３６は、第１側部３１および第２側部３２を下方から支持することで、起き上がり補助具３が側方に転倒するのを抑制する。転倒防止具３６、３６は、本実施形態では、第１側部３１の第２棒状部材３１ｄおよび第２側部３２の第４棒状部材３２ｄのそれぞれの延びる方向に対して略平行に下方に延びる側方延長部３６ａ、３６ａと、床面Ｆに接触する載置部３３の第５棒状部材３３ａの延びる方向に対して略平行に床面Ｆに沿って側方に延びる載置延長部３６ｂ、３６ｂとにより構成される。
【００４１】
転倒防止具３６、３６の側方延長部３６ａ、３６ａは、図示された例では第１側部３１の第２棒状部材３１ｄおよび第２側部３２の第４棒状部材３２ｄのそれぞれの延びる方向に対して略平行に延びている。しかし、側方延長部３６ａ、３６ａは、第２棒状部材３１ｄおよび第４棒状部材３２ｄから床面Ｆに向かって第２棒状部材３１ｄおよび第４棒状部材３２ｄよりも外側に広がるように、第２棒状部材３１ｄおよび第４棒状部材３２ｄの延びる方向に対して傾斜して設けられてもよい。これにより、起き上がり補助具３は、第１側部３１および第２側部３２の側方に転倒するのがさらに抑制される。また、転倒防止具３６、３６の載置延長部３６ｂ、３６ｂは、図示された例では第５棒状部材３３ａから側方延長部３６ａ、３６ａの下端まで延びている。しかし、載置延長部３６ｂ、３６ｂは、側方延長部３６ａ、３６ａを越えて側方延長部３６ａ、３６ａの外側に突出するように設けられてもよい。これにより、起き上がり補助具３は、第１側部３１および第２側部３２の側方に転倒するのがさらに抑制される。
【００４２】
転倒防止具３６、３６は、第１側部３１および第２側部３２を下方から支持するように構成されていれば、第１側部３１および第２側部３２に対する取り付け方法や構成材料は特に限定されることはない。転倒防止具３６、３６は、たとえば、第１側部３１および第２側部３２に対して、ボルトや接着剤などの公知の固定手段により固定されてもよいし、嵌合や係合により着脱可能に取り付けられてもよい。また、転倒防止具３６、３６は、たとえば、ローズウッド、チーク、ブナ、ゴムなどの木材、ＡＢＳ（アクリロニトリル−ブタジエン−スチレン共重合体）、ポリカーボネートなどの合成樹脂、合成ゴムなどにより形成することができる。
【００４３】
転倒防止具は、本実施形態では第１側部３１および第２側部３２のそれぞれに１つずつ設けられているが、複数の第２棒状部材３１ｄおよび複数の第４棒状部材３２ｄのそれぞれに１つずつ設けられて、第１側部３１および第２側部３２のそれぞれに複数設けられてもよい。また、転倒防止具は、本実施形態では第１側部３１および第２側部３２に設けられているが、第１側部３１および第２側部３２以外にも、起き上がり補助具３が後方に転倒するのを抑制するために、後方連結部３４に設けられてもよい。その場合、転倒防止具は、上述した第１側部３１および第２側部３２に設けられる転倒防止具３６、３６と類似の構成とすることができる。
【符号の説明】
【００４４】
１  椅子
２  ビーズクッション
２１  座部
２２  背凭れ部
２３  枕部
２ａ  ビーズクッションの一部
３  起き上がり補助具
３１  第１側部
３１ａ  第１側部の持ち手
３１ｂ  第１側部の側方開口部
３１ｃ  第１棒状部材
３１ｄ  第２棒状部材
３２  第２側部
３２ａ  第２側部の持ち手
３２ｂ  第２側部の側方開口部
３２ｃ  第３棒状部材
３２ｄ  第４棒状部材
３３  載置部
３３ａ  第５棒状部材
３３ｂ  第６棒状部材
３４  後方連結部
３４ａ  後方開口部
３４ｂ  第７棒状部材
３４ｃ  第８棒状部材
３５  上方連結部
３５ａ  上方連結部の持ち手
３５ｂ  第９棒状部材
３６  転倒防止具
３６ａ  側方延長部
３６ｂ  載置延長部
Ｆ  床面
Ｕ  使用者
Ｏ  開口
【図１】
2020168207.tif 000003
【図２】
2020168207.tif 000004
【図３】
2020168207.tif 000005
【図４】
2020168207.tif 000006